(57)【特許請求の範囲】
【請求項１】
リキッドファンデーションを含浸した単層の発泡プラスチックフォームを収容可能な皿状の発泡プラスチックフォーム収容部と、
発泡プラスチックフォーム収容部の上部開口を開閉可能に、容器本体にヒンジ結合され、その上部にパフを収容する皿状のパフ収容部が形成された内部蓋部材と、
その内面にミラーが取り付けられ、容器本体にヒンジ結合されて、容器を開閉可能な皿状の蓋部材を備えたコンパクト状の化粧品容器であって、
前記単層の発泡プラスチックフォームに、略中央部で交差し、前記単層の発泡プラスチックフォームの裏面に達する複数の切込みが放射状に形成されたことを特徴とする化粧品容器。
【請求項２】
前記複数の切込みが前記発泡プラスチックフォームに直線状に形成されていることを特徴とする請求項１に記載の化粧品容器。
【請求項３】
前記発泡プラスチックフォームに３つ以上の切込みが形成されていることを特徴とする請求項１または２に記載の化粧品容器。
【発明の詳細な説明】
【技術分野】
【０００１】
本発明は、リキッドファンデーションを収容するパクトタイプの化粧品容器に関するものである。
【背景技術】
【０００２】
従来のファンデーションは固形ファンデーションや粉体ファンデーションが主流であったが、近年、のびの良さと優れたしっとり感を有する液状のファンデーション（リキッドファンデーション）が広く用いられるようになっている。
【０００３】
リキッドファンデーションは、気密性を必要とすることから、通常はボトルやチューブなどに充填されるため、化粧の際に必要なミラーやパフなどの化粧用具は、これらとは別に携帯する必要があり、したがって、外出する際には、リキッドファンデーションを収容したボトルやチューブなどの他に化粧用具を携行する必要があり、利便性に欠けるものであった。
【０００４】
しかしながら、リキッドファンデーションが持っているのびの良さと優れたしっとり感は、固形ファンデーションや粉体ファンデーションで実現することは困難であり、このようなのびの良さや優れたしっとり感を重視すれば、携帯性などの使用性を犠牲にしても、リキッドファンデーションを選択せざるを得ず、携帯性に優れ、他に化粧用具を携行する必要がないリキッドファンデーション用の化粧品容器の開発が望まれていた。
【０００５】
特開２０１３−５３０２５２号公報（特許文献１）および特開２０１４−１２９３５１公報（特許文献２）は、それぞれ、リキッドファンデーションを含浸したウレタンフォームを収容可能な円環状のウレタンフォーム収容部と、ウレタンフォーム収容部の上部開口を開閉可能に、容器本体にヒンジ結合され、その上部にパフを収容する円環状のパフ収容部が形成された内部蓋部材と、その内面にミラーが取り付けられ、容器本体にヒンジ結合されて、容器を開閉可能な蓋部材を備えたコンパクト状の化粧品容器を開示している。
【先行技術文献】
【特許文献】
【０００６】
【特許文献１】特開２０１３−５３０２５２号公報
【特許文献２】特開２０１４−１２９３５１号公報
【発明の概要】
【発明が解決しようとする課題】
【０００７】
特許文献１および特許文献２に開示された化粧品容器は、リキッドファンデーションを収容するウレタンフォーム収容部を備えるとともに、化粧の際に必要になるミラーとパフを収容するパフ収容部を備えているから、リキッドファンデーションを収容した化粧品容器の他に、ミラーやパフなどの化粧用具を携行する必要がなくなるという利点がある。
【０００８】
しかしながら、パフ収容部に収容されたパフを用いて、ウレタンフォームに含浸されているリキッドファンデーションを、パフに付着させて、繰り返し化粧に用いると、予期していた化粧回数に達する前に、ウレタンフォームに含浸されているリキッドファンデーションをパフに付着させて、化粧に用いることができなくなるという問題があった。
【０００９】
したがって、本発明は、リキッドファンデーションを含浸した発泡プラスチックフォームを収容可能な発泡プラスチックフォーム収容部と、発泡プラスチックフォーム収容部の上部開口を開閉可能に、容器本体にヒンジ結合され、その上面にパフを収容するパフ収容部が形成された内部蓋部材と、その内面にミラーが取り付けられ、容器本体にヒンジ結合されて、容器を開閉可能な蓋部材を備えたコンパクト状の化粧品容器であって、発泡プラスチックフォームに含浸されたリキッドファンデーションを、長時間にわたり、無駄なく、化粧に用いることができる化粧品容器を提供することを目的とするものである。
【課題を解決するための手段】
【００１０】
本発明者は、かかる問題を解決するために検討を重ねたところ、発泡プラスチックフォームに含浸されているリキッドファンデーションを、パフに付着させて、化粧に用いることができなくなった後も、発泡プラスチックフォーム収容部の内周縁部に、かなりの量のリキッドファンデーションが残存していることを見出した。
【００１１】
本発明はかかる知見に基づくものであって、本発明によれば、本発明の前記目的は、リキッドファンデーションを含浸した単層の発泡プラスチックフォームを収容可能な皿状の発泡プラスチックフォーム収容部と、発泡プラスチックフォーム収容部の上部開口を開閉可能に、容器本体にヒンジ結合され、その上部にパフを収容する皿状のパフ収容部が形成された内部蓋部材と、その内面にミラーが取り付けられ、容器本体にヒンジ結合されて、容器を開閉可能な皿状の蓋部材を備えたコンパクト状の化粧品容器であって、前記単層の発泡プラスチックフォームに、略中央部で交差し、前記単層の発泡プラスチックフォームの裏面に達する複数の切込みが放射状に形成されたことを特徴とする化粧品容器によって達成される。
【００１２】
本明細書において、皿状とは、板状部材の周縁に、板状部材の面に略直交する外周壁が形成された形状をいい、横断面の形状は略円形状に限定されるものではなく、略楕円状、略四角形状、略多角形状であってもよい。
【００１３】
本発明によれば、単層の発泡プラスチックフォームに、略中央部で交差し、前記単層の発泡プラスチックフォームの裏面に達する複数の切込みが形成されているから、発泡プラスチックフォームがパフによって押圧され、リキッドファンデーションが発泡プラスチックフォーム内を流動する際、複数の切込みが形成されている発泡プラスチックフォームの中央部近傍の流動抵抗は、発泡プラスチックフォームの他の部分に比して、小さいから、リキッドファンデーションが発泡プラスチックフォームの中央部近傍に移動しやすくなり、その結果、発泡プラスチックフォーム収容部の内周縁部に残存するリキッドファンデーションの量を大幅に減少させることができ、長時間にわたって、化粧品容器の内部に収容されたリキッドファンデーションを化粧に使用することが可能になる。
【００１５】
本発明において、切込みの数はとくに限定されるものではなく、２以上の切込みが形成されていればよい。
【００１６】
本発明において、切込みの形状はとくに限定されるものではなく、直線状でも曲線状でもよい。
【００１８】
本発明において、発泡プラスチックフォームとしては、湿式ポリウレタン、乾式ポリウレタン、ポリプロピレン、アクリロニトリル・ブタジエンゴム（ＮＢＲ）、ブタジエンゴム（ＢＲ）、スチレン・ブタジエンゴム（ＳＢＲ）、天然ゴム（ＮＲ）、ポリエチレン、ポリ塩化ビニル、ポリエチレン、エチレン・ビニル・アセテート（ＥＶＡ）、ラテックス、シリコン、ポリスチレン、スチレン・イソプレン・スチレン（ＳＩＳ）、スチレン・エチレン・ブチレン・スチレン（ＳＥＢＳ）、ポリビニルアルコール（ＰＶＡ）、シリコン剤エラストマー、ニトリルゴム、ブチルゴム、ポリエーテル、ポリエステルおよびネオプレンよりなる群から選ばれる一種以上の発泡プラスチックフォームを用いることができる。
【００１９】
本発明において、発泡プラスチックフォームとして、乾式ポリウレタンフォーム、ポリエチレンフォーム、ポリプロピレンフォームまたはアクリロニトリル・ブタジエンゴムフォームを好ましく用いることができる。
【発明の効果】
【００２０】
本発明によれば、リキッドファンデーションを含浸した単層の発泡プラスチックフォームを収容可能な皿状の発泡プラスチックフォーム収容部と、発泡プラスチックフォーム収容部の上部開口を開閉可能に、容器本体にヒンジ結合され、その上部にパフを収容する皿状のパフ収容部が形成された内部蓋部材と、その内面にミラーが取り付けられ、容器本体にヒンジ結合されて、容器を開閉可能な皿状の蓋部材を備えたコンパクト状の化粧品容器において、単層の発泡プラスチックフォームに含浸されたリキッドファンデーションを長時間にわたり、無駄なく、化粧に用いることができる化粧品容器を提供することが可能になる。
【図面の簡単な説明】
【００２１】
【図１】図１は、本発明の好ましい実施態様にかかる化粧品容器の略斜視図である。
【図２】図２は、図１に示された化粧品容器の蓋部材が開かれた状態を示す略斜視図である。
【図３】図３は、内部蓋部材のパフ収容部内に、パフが収容された状態を示す略斜視図である。
【図４】図４は、図１ないし図３に示された化粧品容器の内部蓋部材がヒンジまわりに揺動され、発泡プラスチックフォームを収容している円筒状の発泡プラスチックフォーム収容部が開放された状態を示す略斜視図である。
【図５】図５は、発泡プラスチックフォーム収容部から発泡プラスチックフォームを取り去った状態を示す略斜視図である。
【図６】図６は発泡プラスチックフォームの略斜視図である。
【図７】図７は、本発明の別の好ましい実施態様にかかる化粧容器において使用される発泡プラスチックフォームの略斜視図である。
【図８】図８は、本発明の他の実施態様にかかる化粧容器において使用される発泡プラスチックフォームの略斜視図である。
【発明を実施するための形態】
【００２２】
以下、本発明の好ましい実施態様にかかる化粧品容器につき、図面を参照して、詳細に説明を加える。
【００２３】
図１は、本発明の好ましい実施態様にかかる化粧品容器の略斜視図である。
【００２４】
図１に示されるように、本発明の好ましい実施態様にかかる化粧品容器１は、いわゆるコンパクト形状をなしており、皿状をなした容器本体２と皿状をなした蓋部材３を備えている。図１において、参照番号４で示されているのは、ストッパである。
【００２５】
図２は、図１に示された化粧品容器１の蓋部材３が開かれた状態を示す略斜視図である。
【００２６】
図２に示されるように、皿状をなした容器本体２は、略円形の板状底部材（図２には図示していない）とその周縁部に一体的に形成された外周壁２ａによって構成され、皿状をなした蓋部材３も、略円形の板状部材３ｂとその周縁部に一体的に形成された外周壁３ａによって構成されている。容器本体２の外周壁２ａは板状底部材と略直交するように形成され、蓋部材３の外周壁３ａは板状部材と略直交するように形成されている。
【００２７】
図２からわかるように、皿状をなした容器本体２および皿状をなした蓋部材３はいずれも略円形状の横断面を有している。
【００２８】
図２に示されるように、蓋部材３は容器本体２の外周部にヒンジ５によって結合されている。図２において、参照番号６で示されているのは、蓋部材３に形成された係合部であり、参照番号７で示されているのは、容器本体２に形成され、蓋部材３に形成された係合部６と係合して、蓋部材３を閉じた状態に保持する係合部である。ストッパ４を押圧すると、蓋部材３に形成され係合部６と容器本体２に形成された係合部７との係合状態が解除され、蓋部材３をヒンジ５まわりに揺動することが可能になる。蓋部材３の内面にはミラー８が取り付けられている。
【００２９】
図２に示されるように、容器本体２には皿状の内部蓋部材１０がヒンジ１１を介して、揺動可能に取り付けられている。内部蓋部材１０は、略円形状の底部材１０ｂと、底部材１２の周縁部に一体的に形成された外周壁１０ａとによって構成されており、外周壁１０ａは底部材１０ｂと略直交するように形成されている。内部蓋部材１０の略円形状の底部材１０ｂと外周壁１０ａとによって画定された空間はパフ（図２には図示していない）を収容するパフ収容部１２を形成し、略円形状の横断面を有している。図２において、参照番号１３で示されているのは、内部蓋部材１０の外周壁に設けられ、ユーザーによって把持可能な把持部である。
【００３０】
図３は、内部蓋部材１０のパフ収容部１２内に、パフ１５が収容された状態を示す略斜視図である。
【００３１】
図３において、参照番号１６で示されているのは、パフ１５に設けられ、ユーザーによって把持可能なパフ把持部である。
【００３２】
図４は、図１ないし図３に示された化粧品容器１の内部蓋部材１０がヒンジ１１まわりに揺動され、発泡プラスチックフォームを収容している発泡プラスチックフォーム収容部が開放された状態を示す略斜視図である。
【００３３】
図４に示されるように、容器本体２には、発泡プラスチックフォーム２０を収容可能で、容器本体２の略円形の板状底部材（図４には図示していない）と、板状底部材の所定に位置に一体的に形成された外周壁２２を備えた皿状の発泡プラスチックフォーム収容部２１が形成されている。本実施態様においては、発泡プラスチックフォーム収容部２１は、略円形状の横断面を有し、その外周壁２２は皿状をなした容器本体２の内壁面２３から内側に離間した位置に位置するように形成されている。
【００３４】
図４に示されるように、発泡プラスチックフォーム２０には、直線状の３つ切込み２５、２６、２７が放射状に形成され、３つの切込み２５、２６、２７は発泡プラスチックフォーム２０の略中央部で交差している。切込み２５、２６、２７は、それぞれ、発泡プラスチックフォーム２０の裏面に達するように形成されている。
【００３５】
図５は、発泡プラスチックフォーム収容部２１から発泡プラスチックフォーム２０を取り去った状態を示す略斜視図である。
【００３６】
図５に示されるように、プラスチックフォーム収容部２１は、容器本体２の略円形の板状底部材２１ａと、板状底部材２１ａの容器本体２の内壁面２３から内側に離間した位置に、板状底部材２１ａと略直交するように一体的に形成された円形の外周壁２２を備え、板状底部材２１ａと外周壁２２とによって画定された空間内に、リキッドファンデーションを含浸した発泡プラスチックフォーム２０を収納可能に構成されている。
【００３７】
図６は、発泡プラスチックフォーム２０の略斜視図である。
【００３８】
図６に示されるように、発泡プラスチックフォーム２０には、発泡プラスチックフォーム２０の略中央部で交差し、発泡プラスチックフォーム２０の裏面に達する直線状の３つの切込み２５、２６、２７が形成されている。
【００３９】
以上のように構成された化粧品容器１においては、以下のようにして、内部に収容されたリキッドファンデーションを用いて、化粧がなされる。
【００４０】
ユーザーによって、まず、蓋部材３が開かれ、内部蓋部材１０のパフ収容部１２内に収容されたパフ１５が取り出される。
【００４１】
次いで、内部蓋部材１０が開かれると、発泡プラスチックフォーム収容部２１内に収容され、リキッドファンデーションが含浸された発泡プラスチックフォーム２０が露出し、ユーザーはパフ１５を用いて、発泡プラスチックフォーム２０の表面を押圧して、発泡プラスチックフォーム２０に含浸されたリキッドファンデーションをパフ１５に付着させる。
【００４２】
こうしてパフ１５に付着されたリキッドファンデーションは、パフ１５を皮膚に接触させることによって、ユーザーの皮膚を化粧する。
【００４３】
本実施態様にかかる化粧品容器１は、リキッドファンデーションを含浸した泡プラスチックフォーム２０と、パフ１５およびミラー８を内蔵しているので、外出の際に、この化粧品容器１を携行するだけで、化粧用具を別途携行する必要がないという利点を有している。
【００４４】
こうして、繰り返し、化粧を続けると、発泡プラスチックフォーム２０に含浸されたリキッドファンデーションが消費され、発泡プラスチックフォーム２０に含浸されたリキッドファンデーションをパフ１５に付着させることができなくなる。
【００４５】
しかしながら、本発明者が従来の化粧品容器において、発泡プラスチックフォーム２０に含浸されたリキッドファンデーションをパフ１５に付着させることができなくなったときに、発泡プラスチックフォーム収容部２１から発泡プラスチックフォーム２０を取り去り、発泡プラスチックフォーム収容部２１の内部を観察したところ、発泡プラスチックフォーム収容部２１の内周縁部に、かなりの量のリキッドファンデーションが残存していることが見出された。
【００４６】
しかるに、本実施態様においては、発泡プラスチックフォーム２０に、発泡プラスチックフォーム２０の略中央部で交差し、それぞれ、発泡プラスチックフォーム２０の裏面に達する３つの切込み２５、２６、２７が形成されている。
【００４７】
このように構成された本実施態様にかかる化粧品容器１においては、リキッドファンデーションをパフ１５に付着させるために、パフ１５によって、発泡プラスチックフォーム２０を押圧すると、発泡プラスチックフォーム２０に含浸されたリキッドファンデーションは発泡プラスチックフォーム２０内を流動する。その際、リキッドファンデーションは流動抵抗が低い領域に向かって流れるから、切込み２５、２６、２７が形成された発泡プラスチックフォーム２０の中央部分に向かって流れる。
【００４８】
その結果、リキッドファンデーションが切込み２５、２６、２７が形成された発泡プラスチックフォーム２０の中央部分に集まるから、リキッドファンデーションが発泡プラスチックフォーム収容部２１の内周縁部に留まり、残存することを効果的に防止することができる。
【００４９】
このように、本実施態様によれば、発泡プラスチックフォーム２０には、その略中央部で交差する３つ切込み２５、２６、２７が、それぞれ、発泡プラスチックフォーム２０の裏面に達するように形成されており、パフ１５の押圧力によって、リキッドファンデーションが発泡プラスチックフォーム２０の内部を流動する際、リキッドファンデーションは流動抵抗が小さい発泡プラスチックフォーム２０の切込み２５、２６、２７が形成された部分に向けて流れるから、リキッドファンデーションが発泡プラスチックフォーム収容部２１の内周縁部に留まり、残存することを効果的に防止することができる。
【００５０】
図７は、本発明の別の好ましい実施態様にかかる化粧容器において使用される発泡プラスチックフォームの略斜視図である。
【００５１】
図７に示されるように、本実施態様においては、発泡プラスチックフォーム３０には、その略中央部で交差する４つの直線状の切込み３１，３２、３３、３４が放射状に形成されている。
【００５２】
このように構成された化粧品容器１においても、以下のようにして、内部に収容されたリキッドファンデーションを用いて、化粧がなされる。
【００５３】
ユーザーによって、まず、蓋部材３が開かれ、内部蓋部材１０のパフ収容部１２内に収容されたパフ１５が取り出される。
【００５４】
次いで、内部蓋部材１０が開かれると、発泡プラスチックフォーム収容部２１内に収容され、リキッドファンデーションが含浸された発泡プラスチックフォーム２０が露出し、ユーザーはパフ１５を用いて、発泡プラスチックフォーム２０の表面を押圧して、発泡プラスチックフォーム２０に含浸されたリキッドファンデーションをパフ１５に付着させる。
【００５５】
こうしてパフ１５に付着されたリキッドファンデーションは、パフ１５を皮膚に接触させることによって、ユーザーの皮膚を化粧する。
【００５６】
本実施態様にかかる化粧品容器１もまた、リキッドファンデーションを含浸した泡プラスチックフォーム２０と、パフ１５およびミラー８を内蔵しているので、外出の際に、この化粧品容器１を携行するだけで、化粧用具を別途携行する必要がないという利点を有している。
【００５７】
従来の化粧品容器においては、こうして、繰り返し、化粧を続けると、発泡プラスチックフォーム２０に含浸されたリキッドファンデーションが消費され、発泡プラスチックフォーム２０に含浸されたリキッドファンデーションをパフ１５に付着させることができなくなるが、発泡プラスチックフォーム収容部２１内のリキッドファンデーションを使い切っているわけではなく、通常、発泡プラスチックフォーム収容部２１内の内周縁部に、かなりの量のリキッドファンデーションが留まり、残存している。
【００５８】
しかるに、本実施態様においては、発泡プラスチックフォーム３０には、その略中央部で交差する４つの直線状の切込み３１，３２、３３、３４が放射状に形成されており、パフ１５によって、発泡プラスチックフォーム３０が押圧されて、リキッドファンデーションが発泡プラスチックフォーム３０の内部を流動する際、発泡プラスチックフォーム３０の切込み３１，３２、３３、３４が形成された部分は流動抵抗が低いから、リキッドファンデーションは発泡プラスチックフォーム３０の切込み３１，３２、３３、３４が形成された部分に向けて流れ、したがって、リキッドファンデーションが発泡プラスチックフォーム収容部２１の内周縁部に留まり、残存することを効果的に防止することが可能になる。
【００５９】
図８は、本発明の他の実施態様にかかる化粧容器において使用される発泡プラスチックフォームの略斜視図である。
【００６０】
図８に示されるように、本実施態様においては、発泡プラスチックフォーム４０には、発泡プラスチックフォーム４０の中心部に向かって延びる８つの切込み４１、４２、４３、４４、４５、４６、４７、４８が直線状に形成されているが、８つの切込み４１、４２、４３、４４、４５、４６、４７、４８は互いに交差してはいない。
【００６１】
このように構成された本実施態様にかかる化粧品容器１においては、以下のようにして、内部に収容されたリキッドファンデーションを用いて、化粧がなされる。
【００６２】
ユーザーによって、まず、蓋部材３が開かれ、内部蓋部材１０のパフ収容部１２内に収容されたパフ１５が取り出される。
【００６３】
次いで、内部蓋部材１０が開かれると、発泡プラスチックフォーム収容部２１内に収容され、リキッドファンデーションが含浸された発泡プラスチックフォーム４０が露出し、ユーザーはパフ１５を用いて、発泡プラスチックフォーム４０の表面を押圧して、発泡プラスチックフォーム４０に含浸されたリキッドファンデーションをパフ１５に付着させる。
【００６４】
こうしてパフ１５に付着されたリキッドファンデーションは、パフ１５を皮膚に接触させることによって、ユーザーの皮膚を化粧する。
【００６５】
本実施態様にかかる化粧品容器１もまた、リキッドファンデーションを含浸した泡プラスチックフォーム４０と、パフ１５およびミラー８を内蔵しているので、外出の際に、この化粧品容器１を携行するだけで、化粧用具を別途携行する必要がないという利点を有している。
【００６６】
従来の化粧品容器においては、こうして、繰り返し、化粧を続けると、発泡プラスチックフォーム４０に含浸されたリキッドファンデーションが消費され、発泡プラスチックフォーム４０に含浸されたリキッドファンデーションをパフ１５に付着させることができなくなるが、発泡プラスチックフォーム収容部２１内のリキッドファンデーションを使い切っているわけではなく、通常、発泡プラスチックフォーム収容部２１内の内周縁部に、かなりの量のリキッドファンデーションが留まり、残存している。
【００６７】
しかるに、本実施態様においては、発泡プラスチックフォーム４０には、発泡プラスチックフォーム４０の中心部に向かって延びる８つの切込み４１、４２、４３、４４、４５、４６、４７、４８が直線状に形成されており、パフ１５によって、発泡プラスチックフォーム４０が押圧されて、リキッドファンデーションが発泡プラスチックフォーム４０の内部を流動する際、発泡プラスチックフォーム４０の切込み４１、４２、４３、４４、４５、４６、４７、４８が形成された部分は流動抵抗が低いから、リキッドファンデーションは発泡プラスチックフォーム４０の切込み４１、４２、４３、４４、４５、４６、４７、４８が形成された中心部近傍に向けて流れ、したがって、リキッドファンデーションが発泡プラスチックフォーム収容部２１の内周縁部に残存することを効果的に防止することが可能になる。
【００６８】
本発明は、以上の実施態様に限定されることなく、特許請求の範囲に記載された発明の範囲内で種々の変更が可能であり、それらも本発明の範囲内に包含されるものであることはいうまでもない。
【００６９】
たとえば、図１ないし図６に示された実施態様においては、発泡プラスチックフォーム２０の略中央部で交差し、それぞれ、発泡プラスチックフォーム２０の裏面に達する３つの直線状の切込み２５、２６、２７が形成され、図７に示された実施態様においては、発泡プラスチックフォーム３０の略中央部で交差し、それぞれ、発泡プラスチックフォーム２０の裏面に達する４つの直線状の切込み３１，３２、３３、３４が、図８に示された実施態様においては、発泡プラスチックフォーム４０の中心部に向かって直線状に延び、互いに交差してはいない８つの切込み４１、４２、４３、４４、４５、４６、４７、４８が直線状に形成されているが、切込みは互いに交差していることも、発泡プラスチックフォーム２０の中心部に向かって延びるように形成されていることも必要でなく、切込みは発泡プラスチックフォーム２０の中央部近傍に形成されていれば足り、その形状はとくに限定されるものではなく、複数の切込みが形成されていればよく、３つ、４つないし８つの切込みが形成されていることは必ずしも必要でない。
【００７０】
また、前記実施態様においては、切込み２５、２６、２７、切込み３１，３２、３３、３４ならびに切込み４１、４２、４３、４４、４５、４６、４７、４８はいずれも発泡プラスチックフォーム２０の裏面に達するように形成されているが、発泡プラスチックフォーム２０の裏面に達するように、切込みを形成することは必ずしも必要でなく、切込みは発泡プラスチックフォーム２０の裏面近傍に達していればよい。
【００７１】
さらに、前記実施態様においては、切込み２５、２６、２７、切込み３１，３２、３３、３４ならびに切込み４１、４２、４３、４４、４５、４６、４７、４８はいずれも直線状をなしているが、切込みが直線状に形成されることは必ずしも必要でなく、切込みが曲線状をなしていてもよい。
【００７２】
また、前記実施態様においては、容器本体２、発泡プラスチックフォーム収容部２１、内部蓋部材１０および蓋部材３が略円形の横断面を有しているが、容器本体２、発泡プラスチックフォーム収容部２１、内部蓋部材１０および蓋部材３が略円形の横断面を有していることは必ずしも必要でなく、横断面が略楕円形状、略四角形状、略多角形状をなしていてもよい。
【符号の説明】
【００７３】
１  化粧品容器
２  容器本体
２ａ  容器本体の外周壁
３  蓋部材
３ａ  蓋部材の外周壁
３ｂ  蓋部材の板状部材
４  ストッパ
５  ヒンジ
６  蓋部材の係合部
７  容器本体の係合部
８  ミラー
１０  内部蓋部材
１０ａ  内部蓋部材の外周壁
１１  ヒンジ
１２  パフ収容部
１３  内部蓋部材の把持部
１５  パフ
１６  パフ把持部
２０  発泡プラスチックフォーム
２１  発泡プラスチックフォーム収容部
２１ａ  ラスチックフォーム収容部の板状底部材
２２  発泡プラスチックフォーム収容部の外周壁
２３  容器本体の内壁面
２５、２６、２７  切込み
３０  発泡プラスチックフォーム
３１，３２、３３、３４  切込み
４０  発泡プラスチックフォーム
４１、４２、４３、４４、４５、４６、４７、４８  切込み
【図１】
0006584203.tif 000002
【図２】
0006584203.tif 000003
【図３】
0006584203.tif 000004
【図４】
0006584203.tif 000005
【図５】
0006584203.tif 000006
【図６】
0006584203.tif 000007
【図７】
0006584203.tif 000008
【図８】
0006584203.tif 000009